(57)【要約】【課題】切り離し線以外で小さく分離されたとしてもそのまま服用されることがなく、誤飲事故を未然に防止することができる包装体を提供することを目的としている。【解決手段】第１シート３に第２シート４を熱接着して錠剤Ｔが充填された収納部２を覆って密封し、第２シート４と弾性を有する第３シート５とを接合部６を介して接合する。このように形成された包装体から、収納部２を１つだけ含むシート片１を分離すると、当該シート片１の第３シート５が接合部６を基点とし第２シート４に対して跳ね上がった状態になる。【選択図】図１
2014201363.tif 000002
【特許請求の範囲】
【請求項１】
プラスチック等のシート材に凹状の窪みを形成し収納部を複数個設けた第１シートと、当該第１シートに接着し前記収納部を覆って密封する第２シートとを備えた包装体であって、
前記第２シートには弾性を有する第３シートが重ね合わされ、当該第３シートは前記第１シート又は前記第２シートと複数箇所で接合され、その接合部は１つの前記収納部に対して少なくとも１箇所ずつ設けられ、当該収納部を１つだけ含むシート片に分離されると、当該シート片の前記第３シートが前記接合部を基点とし前記第２シートに対して跳ね上がった状態になることを特徴とする包装体。
【請求項２】
前記収納部が２列の配列状態で設けられており、前記接合部は前記収納部の配列方向と直交する方向の両端縁に、前記配列方向に連続的に設けられていることを特徴とする請求項１記載の包装体。
【請求項３】
前記収納部が４列以上の偶数列の配列状態で設けられており、前記接合部は配列方向と直交する方向の両端縁および収納部列の間であって２列おきに、前記配列方向に連続的に設けられていることを特徴とする請求項１記載の包装体。
【請求項４】
２個の前記収納部が隣接して配列されており、前記接合部は配列方向の両端縁に設けられていることを特徴とする請求項１記載の包装体。
【請求項５】
４個以上の偶数個の前記収納部が１列の配列状態で設けられており、前記接合部は配列方向の両端縁および前記収納部の間であって２個おきに設けられていることを特徴とする請求項１記載の包装体。
【請求項６】
少なくとも前記第１シート又は第２シート或は第３シートのいずれかに、不快な味を感じさせる調味剤が塗布されていることを特徴とする請求項１〜５のいずれかに記載の包装体。
【発明の詳細な説明】
【技術分野】
【０００１】  本発明は、医薬品やスナック菓子等の製品の包装に用いられる包装体に関する。
【背景技術】
【０００２】  一般に、カプセルや錠剤タイプの医薬品或は粒状のスナック菓子などの製品の包装に用いられる包装体としては、薄いプラスチックシートを凹状にくぼませて収納部を形成し当該収納部を規則的に配列した第１シートに、収納部に製品を充填後、薄いアルミ製の第２シートを被せて収納部を密封するプレススルーパッケージ（ＰＴＰ）が利用されている。このＰＴＰ包装体は、第１シート側に突出した収納部を指で押し潰すと中の製品が押されて第２シートが押し破られ、製品を収納部から取り出せるようになる。
ところでＰＴＰ包装体には、１錠ごとに切り離して使えるように、収納部の間にミシン目やハーフカット等で切り離し線が設けられている。この切り離し線によって１錠分の小さなシート片に分離できてしまうため、シート片から中身を取り出さずにそのまま服用されてしまうケースがあり、特に製品が小粒であればシート片も小さく口に入れやすいため誤飲事故を招く要因になっている。そこで解決策として、分離されるシート片が小さくならないように、例えば１日に必要な服用錠数単位でしか分離できないように切り離し線を設けた包装体が提案されている（例えば特許文献１参照）。
【先行技術文献】
【特許文献】
【０００３】
【特許文献１】実用新案第３０１８０２４号
【発明の概要】
【発明が解決しようとする課題】
【０００４】  しかしながら、特許文献１の包装体であっても、切り離し線が入っていない箇所を鋏などでカットし１錠分のシート片に分離して使用される場合がある。【０００５】  本発明は、このような事情に鑑みてなされたものであり、その目的は、たとえ切り離し線以外で小さく分離されたとしてもそのまま服用されることがなく、誤飲事故を未然に防止することができる包装体を提供することにある。
【課題を解決するための手段】
【０００６】  上記課題を解決するために請求項１の発明は、プラスチック等のシート材に凹状の窪みを形成し収納部を複数個設けた第１シートと、当該第１シートに接着し前記収納部を覆って密封する第２シートとを備えた包装体であって、前記第２シートには弾性を有する第３シートが重ね合わされ、当該第３シートは前記第１シート又は前記第２シートと複数箇所で接合され、その接合部は１つの前記収納部に対して少なくとも１箇所ずつ設けられ、当該収納部を１つだけ含むシート片に分離されると、当該シート片の前記第３シートが前記接合部を基点とし前記第２シートに対して跳ね上がった状態になることを特徴としている。上記手段によれば、前記シート片に分離すると、前記第３シートが前記接合部を基点とし前記第２シートに対して跳ね上がった状態になるため、見た目で使用者に注意を喚起することができるだけでなく口に入れづらくなり、また仮に口に入れたとしても違和感を与えることができるので吐き出すように促すことができる。前記第３シートとしては、プラスチック製の弾性フィルムや紙を樹脂コーティングしたシート材等を用いることができ、前記第２シートとしては破壊しやすい薄いアルミ製やプラスチック製のシート材などを用いることができ、前記第１シートとしてはプラスチックやアルミなどのシート材を用いることができ、特に収納部を指で簡単に変形させることができる程度の軟らかさを備えたものが好ましい。前記第３シートは第２シートと接合するだけでなく、当該第２シートが存在しない箇所で前記第１シートと直接接合しても良い。さらに上記手段によれば、前記シート片に分離する前は、前記第３シートは第２シートに重なった状態になっているため、前記収納部を押し潰したとしても収納されている製品で前記第３シートを押し破って製品を取り出すことは難しく、幼児や子供などが不用意に製品を取り出してしまうことを防止することができる。【０００７】  請求項２の発明は、前記収納部が２列の配列状態で設けられており、前記接合部は前記収納部の配列方向と直交する方向の両端縁に、前記配列方向に連続的に設けられていることを特徴としている。上記手段によれば、口に入れやすい大きさの前記シート片に分離しようとすれば、必然的に前記接合部が存在しない収納部列の間を切断する必要があるため、前記シート片に分離されたとしても前記第３シートが跳ね上がり、誤飲を未然に防止することができる。【０００８】  請求項３の発明は、前記収納部が４列以上の偶数列の配列状態で設けられており、前記接合部は配列方向と直交する方向の両端縁および収納部列の間であって２列おきに、前記配列方向に連続的に設けられていることを特徴としている。上記手段によれば、前記接合部が２列おきに設けられているので、口に入れやすい大きさの前記シート片に分離しようとすれば、必然的に前記接合部が存在しない前記収納部列の間を切断する必要があるため、前記シート片に分離されたとしても前記第３シートが跳ね上がり、誤飲を未然に防止することができる。【０００９】  請求項４の発明は、２個の前記収納部が隣接して配列されており、前記接合部は配列方向の両端縁に設けられていることを特徴としている。上記手段によれば、口に入れ���すい大きさの前記シート片に分離しようとすれば、必然的に前記接合部が存在しない２個の前記収納部の間を切断する必要があるため、前記シート片に分離されたとしても前記第３シートが跳ね上がり、誤飲を未然に防止することができる。【００１０】  請求項５の発明は、４個以上の偶数個の前記収納部が１列の配列状態で設けられており、前記接合部は配列方向の両端縁および前記収納部の間であって２個おきに設けられていることを特徴としている。上記手段によれば、前記接合部が前記収納部の２個おきに設けられているので、口に入れやすい大きさの前記シート片に分離しようとすれば、必然的に前記接合部が存在しない前記収納部の間を切断する必要があるため、前記シート片に分離されたとしても前記第３シートが跳ね上がり、誤飲を未然に防止することができる。【００１１】  請求項６の発明は、少なくとも前記第１シート又は第２シート或は第３シートのいずれかに、不快な味を感じさせる調味剤が塗布されていることを特徴とする。上記手段によれば、前記シート片を口に入れたときに不快な味を感じさせることができるので、前記シート片を吐き出しやすくなり、誤飲事故を未然に防止することができる。【００１２】
【発明の効果】
【００１３】  本発明に係る包装体は、包装体の誤飲や誤食による事故を防止することができる。
【図面の簡単な説明】
【００１４】
【図１】（ａ）本発明の実施形態にかかる包装体を構成するシート片の平面図。（ｂ）同シート片の断面図。
【図２】（ａ）シート片の他の一実施形態を示す平面図。（ｂ）同シート片の断面図。
【図３】（ａ）シート片の他の一実施形態を示す斜視図。（ｂ）シート片の他の一実施形態を示す斜視図。（Ｃ）シート片の他の一実施形態を示す斜視図。
【図４】（ａ）本発明に係る包装体の他の一実施形態を示す平面図。（ｂ）同包装体の断面図。
【図５】（ａ）本発明に係る包装体の他の一実施形態を示す平面図。（ｂ）同包装体の断面図。
【図６】本発明に係る包装体の他の一実施形態を示す平面図。
【図７】（ａ）本発明に係る包装体の他の一実施形態を示す平面図。（ｂ）同包装体の断面図。
【図８】（ａ）本発明に係る包装体の他の一実施形態を示す平面図。（ｂ）同包装体の断面図。
【図９】本発明に係る包装体の他の一実施形態を示す平面図。
【図１０】本発明に係る包装体を一部に含む包装体の平面図。
【図１１】本発明に係る包装体を一部に含む他の包装体の平面図。
【発明を実施するための形態】
【００１５】  以下に、本発明に係る包装体の実施形態について、錠剤用のＰＴＰ包装体を例に図１〜１１を参照しつつ説明する。第１図は錠剤の収納部を複数有するＰＴＰ包装体から１錠分、つまり錠剤が充填され密封されている収納部を１つだけ含む小片に分離されたシート片１を示し、（ａ）図は平面図であり（ｂ）図は断面図である。このシート片１が分離されたＰＴＰ包装体は、プラスチック製の薄いシート材に凹状の窪みを規則的に形成することで複数個の収納部２が設けられた第１シート３と、第１シート３に熱溶着され錠剤Ｔが充填された収納部２を覆って密封するアルミ製の薄いシート材である第２シート４と、後述する要領で第２シート４に重ね合わせた状態で配置されている弾性を有する第３シート５とで構成されている。このＰＴＰ包装体から分離されたシート片１は、（ｂ）図に示すように第３シート５が接合部６を基点とし第２シート４に対して跳ね上がった状態になっている。符号７は折り線を示し、第３シート５が第２シート４から離反する方向に付勢されるように折り癖が付与されている。第３シート５はＰＴＰ包装体からシート片１が分離されることによって自動的に跳ね上がり、使用者に対しそのまま服用しないよう注意を喚起するとともに、万が一、口に入れた場合でも違和感を与えることで吐き出すよう促すことができるので、誤飲による事故を未然に防止することができる。また、第１〜３シート３、４、５のいずれかに不快な味を感じさせる調味剤（例えばデナトリウム）を塗布するとさらに吐き出し易くなり誤飲防止の効果を増大させることができる。錠剤Ｔの取り出しについては、通常の方法と同様、収納部２を指で押し潰し錠剤Ｔで第２シート４を押し破ることで行う。ところで、第３シート５には誤飲防止の効果の他、幼児などが錠剤を不用意に取り出せないようする効果も期待できる。つまり、ＰＴＰ包装体からシート片１を分離しない限り、第３シート５は第２シート４を覆った状態を維持するので、収納部２を指で押し潰したとしても錠剤Ｔで第３シート５を押し破るのは難しく、錠剤Ｔを収納部２から取り出せるようにするには、ＰＴＰ包装体からシート片１を分離して第３シート５を跳ね上がった状態にし第２シート４を露出させる手間が必要となるからである。
【００１６】  第２図に示す別の実施形態のシート片１０は、第２シート４が第３シート５より小さい面積で設けられており、第３シート５は第２シート４が存在しない部分で第１シート３と直接シールされている。なお、シート片１と共通する構成については同一の符号を付して重複する説明を省略する。
【００１７】  第３図（ａ）、（ｂ）、（ｃ）に示す別の実施形態のシート片２０、３０、４０は、第３シート５に巻き癖のついたシート材が用いられている。シート材の材質としては例えばポリプロピレン層を有するフィルムやポリオレフィン系樹脂フィルムを用いることができる。（ａ）図に示すシート片２０は第３シート５を、巻き癖の方向が接合部６の長手方向と平行になるようにし、且つ下向きに湾曲するように重ね合わされたＰＴＰ包装体から切り離されたものである。（ｂ）図に示すシート片３０は第３シート５を、巻き癖の方向が接合部６の長手方向と平行になるようにし、且つ上向きに湾曲するように重ね合わされたＰＴＰ包装体から切り離されたものである。（ｃ）図に示すシート片４０は第３シート５を、巻き癖の方向が接合部６の長手方向と直交するようにし、且つ下向きに湾曲するように重ね合わされたＰＴＰ包装体から切り離されたものである。
【００１８】  第４図には第１図に示すシート片１が切り離される前のＰＴＰ包装体５０を示している。（ａ）図は平面図であり（ｂ）図は断面図である。ＰＴＰ包装体５０は、収納部２が２列の配列状態で設けられており、第３シート５と第２シート４との接合部６が、配列方向と直交する方向の両端縁に、配列方向に連続的に設けられている。また、収納部を１つずつ分離可能なミシン目８（切り離し線）が、収納部列の間と配列方向における収納部２の間に形成されている。服用の際、ミシン目８に沿ってシート片５０を分離すると、第１図（ｂ）に示すように、第３シート５が接合部６を基点に跳ね上がり第２シート４が露出した状態になるため、収納部２を指で押し潰すことで錠剤Ｔを取り出すことができる。万が一、ミシン目８以外の部分をハサミ等で切断されてシート片１に分離されてしまっても、分離する際に接合部６が存在しない収納部列の間を切断する必要があり、必然的にシート片１の第３シート５が第２シート４に対して跳ね上がった状態になる。これにより、使用者に対しそのままの服用を禁止するよう注意を喚起し、万が一、口に入れた場合でも違和感を与え、吐き出させることができる。なお、符号９はタグを示しおりミシン目で切り取れるようになっている。第５図は第２図に示すシート片１０を切り離す前のＰＴＰ包装体６０を示しており、（ａ）は平面図で（ｂ）は断面図を示している。
【００１９】  第６図に示すＰＴＰ包装体７０は、第１図のシート片１が切り離される前の状態の包装体を示しており、当該包装体は収納部が６列の配列状態で設けられ、第３シート５と第２シート４との接合部６が配列方向と直交する方向の両端縁および収納部列の間であって２列おきに、配列方向に連続して設けられている。このＰＴＰ包装体７０にもシート片１ごとに分離することができるミシン目８が、収納部列の間と配列方向における収納部２の間に形成されている。服用の際、ミシン目８に沿って切断すれば、第１図（ｂ）に示すように、第３シート５が接合部６を基点に第２シート４に対して跳ね上がった状態になり第２シート４が露出するため、収納部２から錠剤Ｔを取り出すことができる。また、万が一、ミシン目８以外の部分をハサミ等で切断されてシート片１に分離されてしまっても、分離するためには接合部６が存在しない収納部列の間を切断する必要があり、必然的にシート片１の第３シート５が第２シート４に対して跳ね上がった状態になり、誤飲を未然に防止することができる。
【００２０】  第７図は、２個の収納部が隣接して配列されている、第１図のシート片１が切り離される前の状態の包装ＰＴＰ包装体８０を示している。（ａ）図は平面図、（ｂ）図は断面図を示している。このＰＴＰ包装体８０は、第３シート５と第２シート４とが配列方向の両端縁において接合され、シート片１に分離可能なミシン目８が収納部２の間に形成されている。このＰＴＰ包装体８０をミシン目８で切断すると各シート片１は、第１図（ｂ）に示すように、第３シート５が第２シート４に対し跳ね上がった状態になり、第２シート４が露出した状態になるため錠剤Ｔを収納部２から取り出すことができる。そして、第３シート５が跳ね上がった状態になることで、使用者に対してそのままの服用を禁止するように注意を喚起することができ、また口に入れてしまった場合でも違和感を与え吐き出させることができるので、誤飲事故を未然に防ぐことができる。万が一、ミシン目８以外の箇所をハサミで切断しシート片１に分離されてしまった場合でも、切断する際に接合部６の存在しない収納部２の間を切断する必要があるため、必然的に第３シート５が跳ね上がり誤飲事故を未然に防ぐことができる。図示を省略しているがタグを設けることもでき、タグはミシン目で切り取れるようにしても良い。第８図に示すＰＴＰ包装体９０は第７図のＰＴＰ包装体８０の別の実施形態であり、第２図のシート片１０にかかるＰＴＰ包装体である。
【００２１】  第９図は、６個の収納部が１列の配列状態で設けられているＰＴＰ包装体１００を示している。このＰＴＰ包装体は、第３シート５と第２シート４との接合部６が、配列方向の両端縁および収納部２の間であって２個おきに設けられている。また、シート片１に分離可能なミシン目８が収納部２の間に形成されている。服用の際、ミシン目８でシート片１を分離すれば第１図（ｂ）に示すように、第３シート５が第２シート４に対して跳ね上がった状態になり第２シート４が露出するため、錠剤Ｔを収納部２から簡単に取り出すことができ、加えて誤飲を未然に防止することができる。万が一、ミシン目８以外をハサミなどを使って切断しシート片１に分離されてしまった場合でも、切断の際に接合部６の存在しない収納部２の間を切断しなければならないため、必然的に第３シート５が跳ね上がった状態になり、誤飲を未然に防止することができる。なお、図示するようにタグ９を設けることもできる。
【００２２】  次に本発明に係る包装体を一部に有する包装体の実施形態について説明する。第１０図は、５個の収納部が１列の配列状態で設けられているＰＴＰ包装体２００を示しており、収納部２の上から２個目〜５個目が本発明の請求項５にかかる包装体１１０になっている。即ち、接合部６が、収納部２の上から１個目と２個目の間、３個目と４個目の間、そして５個目の下方に設けられている。収納部２の間にはミシン目８が形成されていてシート片１に分離可能になっている。特に、１個目と２個目及び３個目と４個目の収納部２の間のミシン目８は接合部６を２分する位置に設けられており、このミシン目８で分離されたシート片１のいずれにも接合部６が存在する形態になる。１個目と２個目の収納部２の間にも接合部６を２分するようにミシン目８が形成されていて、包装体１１０と１個目の収納部２を含む小片２１０とに分離可能になっている。この小片２１０の上端にはタグ９が連設されていて、直ぐ下に設けられたミシン目８で切り取り可能になっている。また、タグ９において第３シート５と第２シート４とが接合されているため接合部６と同等の機能を発揮する。即ち、ハサミ等を使って１個目の収納部２と接合部６との間で切断された場合、小片１２０はタグ９を基点として第３シート５が跳ね上がり誤飲を防止する。また、１個目の収納部２とタグ９近傍のミシン目８との間が切断された場合は、１個目と２個目の収納部間の接合部６が基点となって第３シート５が跳ね上がり誤飲を防止する。なお、小片１２０をミシン目８に従って切り離した場合は、１個目と２個目の収納部間の接合部６が基点となって第３シート５が跳ね上がり誤飲を防止する。
ミシン目８によって切り離すことができる。本実施形態においては小片２１０にも本発明に準じた誤飲防止の効果を持たせている。つまり、タグ９を切り離すミシン目８を切断すれば、第１図（ｂ）に示すように、第３シート５が収納部２の１個目と２個目の間の接合部６を基点として跳ね上がるようになっている。当然ながら、当該ミシン目８の下を鋏等を使って切断しても同様の作用効果が発揮される。
【００２３】  第１１図は、５個の収納２が３列の配列状態で設けられているＰＴＰ包装体２２０を示しており、右側２列の収納部列が本発明の請求項２にかかる包装体１２０になっている。即ち、接合部６が収納部列の左から１列目と２列目の間および右側端縁に設けられ、収納部列の間および配列方向における収納部２の間にミシン目８が形成されていて、シート片１ごとに分離可能になっている。この包装体１２０の左側に、５個の収納部２を１列に配した包装体２３０を連設してＰＴＰ包装体２２０が構成されている。本実施形態においては包装体２３０にも本発明に準じた誤飲防止の機能を持たせている。つまり、配列方向に直交するミシン目８を包装体１２０のミシン目８の延長上に形成し、且つ配列方向のミシン目８を収納部列の１列目と２列目の間で接合部６に近接する位置（又は接合部６を２分するように）形成している。これにより、縦横のミシン目８で切断し、収納部２を１個だけ含む小片２４０に分離すれば、第１図（ｂ）に示すように、第３シート５が第２シート４に対して接合部６を基点に跳ね上がった状態になるため、本発明と同様に誤飲を未然に防止することができる。
なお、本発明に係る包装体は上記実施形態に限定されるものではなく、発明の範囲において適宜変更され得る。例えば、ミシン目の代わりにハーフカットの切り離し線を形成しても良いし、切り離し線そのものを無くしても良いし、またこれらを組み合わせて用いても良い。
【符号の説明】
【００２４】  １、１０、２０、３０，４０  シート片
２  収納部
３  第１シート
４  第２シート
５  第３シート
６  接合部
７  折り線
８  ミシン目
９  タグ
５０、６０、７０、８０、９０、１００、１１０、１２０  ＰＴＰ包装体
２００、２２０  ＰＴＰ包装体
２１０、２４０  小片
Ｔ  錠剤
【図１】
2014201363.tif 000003
【図２】
2014201363.tif 000004
【図３】
2014201363.tif 000005
【図４】
2014201363.tif 000006
【図５】
2014201363.tif 000007
【図６】
2014201363.tif 000008
【図７】
2014201363.tif 000009
【図８】
2014201363.tif 000010
【図９】
2014201363.tif 000011
【図１０】
2014201363.tif 000012
【図１１】
2014201363.tif 000013